(57)【要約】      （修正有）【課題】とじ具に対して書類等を着脱し易く、確実に書類等の覗き見を防止することが可能な鍵付きファイルを提供する。【解決手段】鍵付きファイル１は、表表紙２１、裏表紙２２、背表紙２３、裏表紙の手前側縁部に接続する手前側表紙２４とを有し、閉状態の際に、表表紙２１と裏表紙２２とが対向し、かつ背表紙２３と手前側表紙２４とが対向することで、上下方向に開放した角筒状をなすファイル本体部２と、書類等のとじ込み対象物がとじられ、背表紙２３の内面側等に取り付けられるとじ具と、閉状態のファイル本体部の上側開口部及び下側開口部２６を閉塞する一対の天板及び地板５と、表表紙２１に固定される係合部６１、及び手前側表紙２４に固定され鍵機構により係合部６１に対して着脱可能に係合する被係合部６２を有する鍵装置６とを備える。【選択図】図１
0003201166.tif 000002
【実用新案登録請求の範囲】
【請求項１】
左右一対の表表紙及び裏表紙と、手前側が左右方向に開閉するように前記表表紙と前記裏表紙とを繋ぐ背表紙と、前記表表紙又は前記裏表紙の何れか一方における手前側縁部に接続する手前側表紙とを有し、閉状態の際に前記表表紙と前記裏表紙とが対向すると共に前記背表紙と前記手前側表紙とが対向することで上下方向に開放した角筒状をなすファイル本体部と、
書類等のとじ込み対象物がとじられ、前記背表紙の内面、又は前記裏表紙の内面に取り付けられるとじ具と、
互いに上下方向で間隔を保ちつつ平行に並ぶように各々が前記表表紙の内面又は前記裏表紙の内面に立設される板状をなし、閉状態の前記ファイル本体部の上下に形成される上側開口部及び下側開口部を閉塞し、開状態の前記ファイル本体部において前記とじ込み対象物が通過可能な大きさで左右方向に開放した形をなす一対の天板及び地板と、
前記残りの一方に固定される係合部と、前記手前側表紙に固定され前記係合部に対して鍵機構により着脱可能に係合する被係合部とを有する鍵装置と、を備える鍵付きファイル。
【請求項２】
前記天板及び前記地板は、閉状態の前記ファイル本体部において、前記上側開口部の上縁部、及び前記下側開口部の下縁部よりも内側に奥まった位置に配され、かつ左右方向で前記表表紙と前記裏表紙との間に介在されると共に、前記天板及び前記地板の各先端部が、前記裏表紙の内面又は前記表表紙の内面に当接する請求項１に記載の鍵付きファイル。
【請求項３】
前記天板及び前記地板の各先端部に、前記裏表紙の内面又は前記表表紙の内面に当接する弾性変形可能な弾性部材が取り付けられて請求項１又は２に記載の鍵付きファイル。
【請求項４】
前記天板及び前記地板の各先端部と対向する前記裏表紙又は前記表表紙に、閉状態の前記ファイル本体部において、前記各先端部が挿し込まれて前記天板及び前記地板が、前記裏表紙又は前記表表紙に固定される挿着部が設けられている請求項１又は２に記載の鍵付きファイル。
【請求項５】
前記ファイル本体部は、閉状態において、前記手前側表紙の自由端と前記手前側表紙が接続されていない残りの一方における自由端とが互いに突き合わされた状態となっている請求項１〜４の何れか一項に記載の鍵付きファイル。
【請求項６】
前記表表紙と前記背表紙との間、前記裏表紙と前記背表紙との間、及び前記表表紙又は前記裏表紙の何れか一方と前記手前側表紙との間には、それぞれヒンジ部が設けられている請求項１〜５の何れか一項に記載の鍵付きファイル。
【考案の詳細な説明】
【技術分野】
【０００１】
本考案は、鍵付きファイルに関する。
【背景技術】
【０００２】
特許文献１に示されるように、書類等のとじ具を備えた両開き式のファイルに、鍵装置（ロック装置）が設けられたものが知られている。この種のファイルでは、表表紙と裏表紙とが閉じられた状態で鍵をかけることが可能であり、部外者がファイルを開いてとじ具にとじられている書類等を抜き出すこと等が防止される。
【０００３】
また、特許文献１には、ファイルが閉じられた際に表表紙と裏表紙との間に形成される開放部（いわゆる小口）が閉塞板によって塞がれた箱型の鍵付きファイルが示されている。このような箱型のファイルにおいて、ファイルが閉じられていると、書類等は、表表紙や閉塞板等により構成される箱の中に納まった状態となり、外部から見えなくなる。
【０００４】
なお、上記箱型のファイルでは、表表紙と、裏表紙と、それらの間にある背表紙とが、互いに薄肉ヒンジ部を介して１枚のシート状に形成されている。そして、そのような表表紙の周縁又は裏表紙の周縁に対して、薄肉ヒンジ部を介して閉塞板が平面的かつ一体的に形成されている。そのため、閉塞板は、箱型のファイルを構成する際、表表紙又は裏表紙から起立するように薄肉ヒンジ部で折り曲げられている。
【０００５】
また、閉塞板は、ファイルの小口側（前小口側）に配される部分と、ファイルの上側（天側）、又は下側（地側）に配される部分とが、折り畳み可能な連結部によって互いに平面的かつ一体的に形成されている。そのため、上側の閉塞板（又は下側の閉塞板）と小口側の閉塞板とが表表紙又は裏表紙から起立した状態では、それらの間にある連結部が内側に突き出すように折り畳まれている。その結果、上側の閉塞板（又は下側の閉塞板）と小口側の閉塞板とが互いに起立した状態で略直角に隣接することになる。
【先行技術文献】
【特許文献】
【０００６】
【特許文献１】特開２００７−８１２８号公報
【考案の概要】
【考案が解決しようとする課題】
【０００７】
上記箱型のファイルでは、ファイルの小口側に、閉塞板が立設されていたため、上記ファイルを開いた状態で、とじ具に書類等を取り付け、又は取り外しを行うとすると、手や書類等が小口側の閉塞板に干渉し易く問題となっていた。
【０００８】
また、上記箱型のファイルでは、上側の閉塞板（又は下側の閉塞板）と小口側の閉塞板との間に、内側に折り畳まれる連結部が設けられている。そのような連結部の一部は、閉塞板で囲まれた内側に、折り畳まれつつ突き出した状態となる。そのため、とじ具に書類等を取り付け、又は取り外しを行う際に、書類等が連結部に干渉する虞があり、問題となっていた。
【０００９】
なお、上記箱型のファイルでは、表表紙と裏表紙の小口を小口側の閉塞板と共に閉塞し、かつ鍵装置（ロック装置）が備える係合片を固定する開閉板が、表表紙の小口側の周縁に対して薄肉ヒンジ部を介して取り付けられている。つまり、表表紙と裏表紙の小口は、開閉板と共に、その両隣にある２つの小口側の閉塞板とによって塞がれている。この開閉板は、小口側の閉塞板とは分離しており、独立して動かせる構成となっている。このような箱型のファイルの場合、ファイルが閉じられた状態において、背表紙の反対側にある面に、構造上、必然的に小口側の閉塞板と開閉板との継ぎ目（隙間）が形成されてしまう。そのため、従来は、そのような隙間から書類等が覗き見られることや、その隙間に工具等が挿し込まれて閉塞板等が破壊される虞があった。
【００１０】
本考案明の目的は、とじ具に対して書類等を着脱し易く、しかも閉じられた状態で確実に書類等の覗き見を防止することが可能な鍵付きファイルを提供することである。
【課題を解決するための手段】
【００１１】
本考案に係る鍵付きファイルは、左右一対の表表紙及び裏表紙と、手前側が左右方向に開閉するように前記表表紙と前記裏表紙とを繋ぐ背表紙と、前記表表紙又は前記裏表紙の何れか一方における手前側縁部に接続する手前側表紙とを有し、閉状態の際に前記表表紙と前記裏表紙とが対向すると共に前記背表紙と前記手前側表紙とが対向することで上下方向に開放した角筒状をなすファイル本体部と、書類等のとじ込み対象物がとじられ、前記背表紙の内面、又は前記裏表紙の内面に取り付けられるとじ具と、互いに上下方向で間隔を保ちつつ平行に並ぶように各々が前記表表紙の内面又は前記裏表紙の内面に立設される板状をなし、閉状態の前記ファイル本体部の上下に形成される上側開口部及び下側開口部を閉塞し、開状態の前記ファイル本体部において前記とじ込み対象物が通過可能な大きさで左右方向に開放する一対の天板及び地板と、前記残りの一方に固定される係合部と、前記手前側表紙に固定され前記係合部に対して鍵機構により着脱可能に係合する被係合部とを有する鍵装置と、を備える。
【００１２】
前記鍵付きファイルにおいて、前記天板及び前記地板は、閉状態の前記ファイル本体部において、前記上側開口部の上縁部、及び前記下側開口部の下縁部よりも内側に奥まった位置に配され、かつ左右方向で前記表表紙と前記裏表紙との間に介在されると共に、前記天板及び前記地板の各先端部が、前記裏表紙の内面又は前記表表紙の内面に当接することが好ましい。
【００１３】
前記鍵付きファイルにおいて、前記天板及び前記地板の各先端部に、前記裏表紙の内面又は前記表表紙の内面に当接する弾性変形可能な弾性部材が取り付けられていることが好ましい。
【００１４】
前記鍵付きファイルにおいて、前記天板及び前記地板の各先端部と対向する前記裏表紙又は前記表表紙に、閉状態の前記ファイル本体部において、前記各先端部が挿し込まれて前記天板及び前記地板が、前記裏表紙又は前記表表紙に固定される挿着部が設けられていることが好ましい。
【００１５】
前記鍵付きファイルにおいて、前記ファイル本体部は、閉状態において、前記手前側表紙の自由端と前記手前側表紙が接続されていない残りの一方における自由端とが互いに突き合わされた状態となっていることが好ましい。
【００１６】
前記鍵付きファイルにおいて、前記表表紙と前記背表紙との間、前記裏表紙と前記背表紙との間、及び前記表表紙又は前記裏表紙の何れか一方と前記手前側表紙との間には、それぞれヒンジ部が設けられていることが好ましい。  
【考案の効果】
【００１７】
本考案によれば、とじ具に対して書類等を着脱し易く、しかも閉じられた状態で確実に書類等の覗き見を防止することが可能な鍵付きファイルを提供することができる。
【図面の簡単な説明】
【００１８】
【図１】本考案の実施形態１に係る表表紙側から見た閉状態の鍵付きファイルの斜視図
【図２】手前側表紙側から見た閉状態の鍵付きファイルの斜視図
【図３】地板側から見た閉状態の鍵付きファイルの斜視図
【図４】内面側から見た開状態の鍵付きファイルの説明図
【図５】外面側から見た開状態の鍵付きファイルの説明図
【図６】実施形態２に係る内面側から見た開状態の鍵付きファイルにおける表表紙側の説明図
【図７】実施形態３に係る内面側から見た開状態の鍵付きファイルの説明図
【図８】実施形態３のファイル本体部における天板の先端部が裏表紙の挿着部に挿し込まれている状態を示す説明図
【考案を実施するための形態】
【００１９】
＜実施形態１＞
本考案の一実施形態を、図１〜図５を参照しつつ説明する。本実施形態では、覗き見防止機能を備えた鍵付きファイル１を例示する。鍵付きファイル１は、両開き式であり、図１〜図３には、閉状態の鍵付きファイル１が示され、図４及び図５には、開状態の鍵付きファイル１が示されている。なお、閉状態の鍵付きファイル１は、全体的には外観が直方体状である箱型をなしている。
【００２０】
このような鍵付きファイル１は、主として、ファイル本体部２と、とじ具３と、天板４及び地板５と、鍵装置６とを備えている。
【００２１】
ファイル本体部２は、とじ具３にとじられた書類等を取り囲むように収容する部分である。また、ファイル本体部２は、閉状態において、上下方向に開放した角筒状をなし、かつ、開状態において、平面状に広がって一枚の板状をなす部分である。ファイル本体部２を構成する材料としては、本発明の目的を損なわない限り、特に制限はなく、目的に応じて公知の材料の中から適宜、選択される。ファイル本体部２を構成する具体的な材料としては、例えば、樹脂シート、厚紙等の紙類、金属板、木材、皮革等が挙げられる。
【００２２】
このようなファイル本体部２は、主として、左右一対の表表紙２１及び裏表紙２２と、背表紙２３と、手前側表紙２４とを備えている。
【００２３】
表表紙２１及び裏表紙２２は、それぞれ平面視で縦長の長方形状をなす板状の部分であり、それらは互いに略同じ大きさに設定されている。なお、本実施形態では、ファイル本体部２を開いた状態において、手前側（内面側）から見て、左側に表表紙２１が配され、右側に裏表紙２２が配されるものとする。
【００２４】
表表紙２１と裏表紙２２との間には、それらが左右方向に開閉できるように、表表紙２１と裏表紙２２とを繋ぐための背表紙２３が配されている。背表紙２３は、表表紙２１等よりも細長い縦長の長方形状をなしている。なお、表表紙２１と背表紙２３との間には、上下方向に細長く延びたヒンジ部２７が介在されている。そのため、表表紙２１は、背表紙２３に対してヒンジ部２７を利用して折れ曲がるように動くことができる。また、裏表紙２２と背表紙２３との間にも、上下方向に細長く延びたヒンジ部２８が介在されており、裏表紙２２は、背表紙２３に対してヒンジ部２８を利用して折れ曲がるように動くことができる。
【００２５】
このように、表表紙２１及び裏表紙２２は、それぞれヒンジ部２７，２８を介して背表紙２３に繋がっているため、表表紙２１及び裏表紙２２は、内面２１ａ．２２ａ同士が互いに近付くように、及び内面２１ａ．２２ａ同士が互いに離れるように動かすことができる。なお、ヒンジ部２７，２８は、表表紙２１や裏表紙２２等と比べて、厚みが小さく、薄肉化された部分からなり、柔軟性を備えている。
【００２６】
手前側表紙２４は、裏表紙２２における上下方向に延びた手前側縁部２１１に、ヒンジ部２９を介して接続される部分であり、平面視で背表紙２３と略同じ大きさの縦長の長方形状をなしている。なお、ヒンジ部２９は、手前側縁部２１１に沿って上下方向に細長く延びた形をなしており、ヒンジ部２７等と同様、裏表紙２２等と比べて、厚みが小さく、薄肉化された部分からなり、柔軟性を備えている。
【００２７】
ファイル本体部２は、閉状態の際に、上述したように、上下方向に開放した角筒状をなしている。その際、ファイル本体部２の表表紙２１と裏表紙２２とは、左右方向で互いに間隔を保ちつつ対向しており、また、背表紙２３と手前側表紙２４とは、前後方向で互いに間隔を保ちつつ対向している。また、ファイル本体部２が閉状態の際、手前側表紙２４の自由端２４１と表表紙２１の自由端２１１とは、互いに隙間なく突き合わされた状態となっている。
【００２８】
このような閉状態のファイル本体部２において、ファイル本体部２の上部には、上部側の表表紙２１、背表紙２３、裏表紙２２及び手前側表紙２４によって取り囲まれてなる上側開口部２５が形成されている。また、閉状態のファイル本体部２において、ファイル本体部２の下部には、下部側の表表紙２１、背表紙２３、裏表紙２２及び手前側表紙２４によって取り囲まれてなる下側開口部２６が形成されている。
【００２９】
とじ具３は、書類等のとじ込み対象物をとじるための部材であり、背表紙２３の内面２３ａ側において、上下方向における略中央の位置に取り付けられている。本実施形態のとじ具３は、金属製であり、一般的な２つ穴用のとじ具の構成からなる。とじ具３は、背表紙２３に対して、ビスや接着剤等の公知の固定方法により、固定される。
【００３０】
なお、本考案のとじ具３は、これに限られず、他の材質（例えば、プラスチック材料）や、他のとじ込み機構（例えば、多数個の穴用のとじ具、書類等を挟み込むタイプのとじ具等）からなるものであってもよい。また、他の実施形態においては、背表紙２３の内面２３ａではなく、例えば、裏表紙２２の内面２２ａに固定される構成のとじ具であってもよい。
【００３１】
天板４及び地板５は、互いに上下方向で間隔を保ちつつ平行に並ぶように各々が表表紙２１の内面２１ａ立設される板状をなし、閉状態のファイル本体部２の上下に形成される上側開口部２５及び下側開口部２６を閉塞し、開状態のファイル本体部２においてとじ込み対象物が通過可能な大きさで左右方向に開放する一対の板状部材である。
【００３２】
天板４及び地板５は、横長の長方形状の板状部材からなり、かつ略同じ大きさに設定されている。天板４は、閉状態のファイル本体部２に形成される上側開口部２５を閉塞する板状部材である。これに対し、地板５は、閉状態のファイル本体部２に形成される下側開口部２６を閉塞する板状部材である。
【００３３】
天板４及び地板５は、図４等に示されるように、表表紙２１の内面２１ａ側において、互いに上下方向で間隔を保ちつつ平行に並ぶ形で配されている。天板４及び地板５は、開状態のファイル本体部２（鍵付きファイル１）において、表表紙２１の内面２１ａに対してそれぞれ略垂直に立ち上がるように形成されている。なお、図４では、説明の便宜上、天板４及び地板５が斜視図的に示されている。
【００３４】
天板４及び地板５は、表表紙２１の内面２１ａ側において、それぞれ表表紙２１の短手方向に沿う形で形成されている。そして、天板４は、表表紙２１の上縁部２１２よりも内側（下方側）に入り込んだ位置に立設されており、天板４と上縁部２１２との間には、ある程度のスペースが設けられている。つまり、天板４は、閉状態のファイル本体部２において、上側開口部２５の上縁部（上縁部２１２等を含む）２５ａよりも内側に奥まった位置に配されることになる。その結果、天板４は、閉状態のファイル本体部２における左右方向において、表表紙２１と裏表紙２２と間に、所謂、突っ張り板のような形で介在される。
【００３５】
また、地板５は、表表紙２１の下側部２１３よりも内側（上方側）に入り込んだ位置に立設されており、地板５と下側部２１３との間には、ある程度のスペースが設けられている。つまり、地板５は、閉状態のファイル本体部２において、下側開口部２６の下縁部（下縁部２１３等を含む）２６ａよりも内側に奥まった位置に配されることになる。その結果、地板５は、閉状態のファイル本体部２における左右方向において、表表紙２１と裏表紙２２と間に、上記天板４と同様、所謂、突っ張り板のような形で介在される。
【００３６】
天板４は、長方形状の本体部４０と、表表紙２１の内面２１ａに固定され、本体部４０を支える基部４２と、基部４２の反対側にあり、裏表紙２２の内面２２ａと当接する先端部４１とを備えている。地板５は、長方形状の本体部５０と、表表紙２１の内面２１ａに固定され、本体部５０を支える基部５２と、基部５２の反対側にあり、裏表紙２２の内面２２ａと当接する先端部５１とを備えている。
【００３７】
上記のように、閉状態のファイル本体部２において、天板４及び地板５は、表表紙２１と裏表紙２２との間で、所謂、突っ張り板のような形で挟まれた状態となっている。閉状態の鍵付きファイル１（ファイル本体部２）は、天板４及び地板５によって強度（剛性）が向上されている。なお、本実施形態の場合、天板４及び地板５は、背表紙２３と手前側表紙２４との間でも、所謂、突っ張り板のような形で挟まれた状態となっている。
【００３８】
例えば、閉状態のファイル本体部２（鍵付きファイル１）に対して、ファイル本体部２が左右方向で挟み付けられるように外力が加えられた場合に、表表紙２１と裏表紙２２とが互いに近付き過ぎないように、天板４及び地板５によって内面側から外面側へ押し返され、ひいては表表紙２１及び裏表紙２２が変形や破損すること等が防止される。
【００３９】
なお、天板４及び地板５における背表紙２３側の各端部４３，５３は、閉状態のファイル本体部２において、それぞれ背表紙２３の内面２３ａに当接されている。これに対し、天板４及び地板５における手前側表紙２４側の各端部４４，４５は、閉状態のファイル本体部２において、それぞれ手前側表紙２４の内面２４ａに当接されている。
【００４０】
鍵装置６は、表表紙２１に固定される係合部６１と、手前側表紙２４に固定され鍵機構により係合部６１に対して着脱可能に係合する被係合部６２とを備えている。係合部６１は、表表紙２１の外面２１ｂ側にビス等を利用して取り付けられる固定部６１ａと、この固定部６１ａに対してヒンジ機構により揺動可能に取り付けられる可動係合片６１ｂとを備えている。可動係合片６１ｂの先端には、手前側表紙２４に固定されている被係合部６２の鍵穴部６２ａに挿入される挿入部（不図示）が設けられている。被係合部６２は、ダイヤル錠からなる鍵機構を備えており、鍵孔部６２ａに可動係合片６１ｂの挿入部が挿入された状態で、ダイヤル錠のダイヤル６２ｂを操作すると、係合部６１の可動係合片６１ｂ（挿入部）と被係合部６２とが互いに係合する形で固定される。なお、ダイヤル錠のダイヤル６２ｂに対して所定の操作を行えば、係合部６１の可動係合片６１ｂ（挿入部）と被係合部６２との係合を解消すれば、閉状態のファイル本体部２を開状態とすることができる。
【００４１】
鍵付きファイル１では、鍵装置６における係合部６１と被係合部６２との係合が解消され、ファイル本体部２が平面的に広げられた状態（開状態）の際に、とじ具３に対する書類等の取り付け、又は取り外し（書類等の着脱）が行われる。その際に、天板４及び地板５との間は、書類等のとじ込み対象物が通過でき程度の大きさで左右方向に開放された状態となっている。つまり、鍵付きファイル１では、書類等の着脱時に、天板４と地板５との間において、左右方向に書類等と干渉する部材が設けられておらず、書類等がそのままの大きさで通過可能なスペースが確保されている。その結果、書類等の着脱時に、使用者の手や書類等が、鍵付きファイル１を構成する部材に干渉等することが防止される。
【００４２】
また、鍵付きファイル１では、ファイル本体部２が角筒状をなし、そのファイル本体部２の上側開口部２５及び下側開口部２６がそれぞれ天板４及び地板５によって閉塞され、更に、鍵装置６における係合部６１と被係合部６２とが係合された状態（閉状態）の際に、とじ具３に閉じられた書類等は、ファイル本体部２と天板４及び地板５とによって外部から見えないように取り囲まれた状態となる。
【００４３】
以上のように、本実施形態の鍵付きファイル１は、とじ具に対して書類等を着脱し易く、しかも閉じられた状態で確実に書類等の覗き見を防止することが可能な構造となっている。
【００４４】
また、本実施形態の鍵付きファイル１では、上記のように、天板４及び地板５が、所謂、突っ張り板のような形で、表表紙２１と裏表紙２２との間、及び背表紙２３と手前側表紙２４との間に介在されている。そのため、本実施形態の鍵付きファイル１は、強度的にも優れた構造となっている。
【００４５】
＜実施形態２＞
次いで、本考案の実施形態２に係る鍵付きファイル１Ａついて、図６を参照しつつ説明する。実施形態２の鍵付きファイル１Ａは、図６に示されるように、上記実施形態１の鍵付きファイル１が備える天板４の先端部４１及び地板５の先端部５１に、それぞれ更に弾性部材７，７を取り付けたものからなる。
【００４６】
弾性部材７は、細長く延びた長手状をなしており、左右方向に延びた天板４及び地板５の各先端部４１，５１に沿う形で取り付けられている。弾性部材７としては、シリコーンゴム、ウレタンフォーム等の公知の弾性材料が用いられる。本実施形態の弾性部材７は、細長く延びた角柱状のシリコーンゴムからなる。
【００４７】
鍵付きファイル１Ａでは、表表紙２１、裏表紙２２等が使用状況により、撓んでしまうことがある。例えば、とじ具３に大量の書類等をとじた場合、閉状態において、書類等が裏表紙２２等を内面側から外面側に押し上げて、裏表紙２２等が撓んでしまうことがある。また、表表紙２１や裏表紙２２が、湿気を吸収し易い部材から構成されている場合、湿気の影響により、表表紙２１や裏表紙２２が撓んでしまうことがある。特に、表表紙２１及び裏表紙２２の何れかのうち、天板４及び地板５が固定されていない方について、撓みが生じ易い。このような事情により、上記実施形態１では、裏表紙２２が撓むことによって天板４及び地板５と裏表紙２２との間に、隙間が形成される場合がある。
【００４８】
例えば、とじ具３に対して、プラスチック製の薄手の袋（所謂、ポケットファイル）に書類を入れた状態でとじた場合、その袋の中から書類が滑り出てしまうことがある。そして、そのような書類が、閉状態のファイル本体部（鍵付きファイル）において、撓んだ裏表紙２２と天板４及び地板５との間の小さな隙間から外部に飛び出してしまうこともある。
【００４９】
そこで、本実施形態の鍵付きファイル１Ａでは、上記のように、天板４及び地板５の各先端部４１，５１に、弾性部材７が形成されることによって、天板４及び地板５と、裏表紙２２との間に隙間が形成され難くなっている。例えば、裏表紙２２が内面側から外面側に向って膨らむように変形している場合、各先端部４１，５１に取り付けられている弾性部材７，７は、変形した裏表紙２２の内面形状に追従する形で当接することになる。その結果、弾性部材７，７と裏表紙２２の内面２２ａとの間に隙間が形成されることが防止され、ひいては閉状態の鍵付きファイル１Ａの内部から外部に書類が飛び出してしまうことが防止される。
【００５０】
＜実施形態３＞
次いで、本考案の実施形態３に係る鍵付きファイル１Ｂについて、図７及び図８を参照しつつ説明する。実施形態３の鍵付きファイル１Ｂは、図７に示されるように、上記実施形態１の鍵付きファイル１が備える天板４及び地板５に代えて、各先端部４１Ｂ，５１Ｂにそれぞれ複数個の凸部４１Ｂ１，５１Ｂ１が設けられている天板４Ｂ及び地板５Ｂが用いられている。
【００５１】
天板４Ｂは、上記実施形態１の天板４の先端部４１に、複数個の凸部４１Ｂ１が追加された構成となっている。複数個の凸部４１Ｂ１は、天板４Ｂの先端部４１Ｂにおいて、互いに間隔を保ちつつ一列に並ぶように配設されている。各凸部４１Ｂ１は、天板４Ｂの先端部４１Ｂの一部である。
【００５２】
地板５Ｂは、上記実施形態１の地板５の先端部５１に、複数個の凸部５１Ｂ１が追加された構成となっている。複数個の凸部５１Ｂ１は、地板５Ｂの先端部５１Ｂにおいて、互いに間隔を保ちつつ一列に並ぶように配設されている。各凸部５１Ｂ１は、地板５Ｂの先端部５１Ｂの一部である。
【００５３】
また、本実施形態の鍵付きファイル１Ｂでは、各凸部４１Ｂ１及び各凸部５１Ｂ１と対向する裏表紙２２の部分に、閉状態のファイル本体部２Ｂにおいて、各凸部４１Ｂ１及び各５１Ｂ１が挿し込まれる貫通孔状の各挿着部８Ｂ及び各挿着部９Ｂが設けられている。閉状態のファイル本体部２Ｂにおいて、表表紙２１側の各凸部４１Ｂ１及び各凸部５１Ｂ１が、裏表紙側の各挿着部８Ｂ及び各挿着部９Ｂに挿し込まれることで、表表紙２１と裏表紙とが互いに天板４Ｂ及び地板５Ｂを介して固定される。
【００５４】
また、天板４及び地板５の先端にある各凸部４１Ｂ及び各凸部５１Ｂ１を、裏表紙２２に設けられている貫通孔状の各挿着部８Ｂ及び各挿着部９Ｂに挿し込むことで、とじ具３にとじられている書類等が地板５Ｂ等により支持され、書類等の重さで地板５Ｂ等が変形等することが抑制される。そして更に、ファイル本体部２Ｂ内の書類が、天板４Ｂ及び地板５Ｂによって外部に飛び出すことが抑制される。
【００５５】
＜他の実施形態＞
本考案は上記記述及び図面によって説明した実施形態に限定されるものではなく、例えば次のような実施形態も本考案の技術的範囲に含まれる。
【００５６】
（１）上記実施形態１では、手前側表紙２４が表表紙２１に接続する構成となっていたが、本考案はこれに限られず、例えば、裏表紙２２の手前側の縁部に手前側表紙２４が接続する構成であってもよい。
【００５７】
（２）上記実施形態１において、とじ具３は、背表紙２３の内面２３ａに取り付けられていたが、他の実施形態においては、例えば、背表紙２３の近くにある裏表紙２２の内面２２ａ側に取り付けられてもよい。
【００５８】
（３）上記実施形態１では、鍵装置６の鍵機構がダイヤル錠であったが、本考案の鍵装置６はこれに限られず、公知の鍵機構を適用できる。
【００５９】
（４）上記実施形態１では、天板４及び地板５は、表表紙２１の内面２１ａに形成されていたが、他の実施形態においては、裏表紙２２の内面２２ａに形成されてもよい。
【００６０】
（５）上記実施形態２では、天板４及び地板５の各先端部４１，５１の全域に、弾性部材７，７が取り付けられていたが、本考案はこれに限られず、例えば、弾性部材７が、各先端部４１、５１において長手方向において間欠的に設けられてもよい。
【００６１】
（６）上記実施形態３では、天板４Ｂ及び地板５Ｂの各先端部４１Ｂ及び５１Ｂにそれぞれ複数個の凸部４１Ｂ１，５１Ｂ１を設ける構成であったが、本構成はこれに限られず、例えば、１つに繋がった長手状の凸部を、相手側（裏表紙又は表表紙）にある長手状でありかつ貫通孔状の挿着部に挿着させる構成であってもよい。
【００６２】
（７）上記実施形態１〜３では、手前側（内面側）から見て左側を「表側」とし、右側を「裏側」としたが、本考案はこれに限られず、他の実施形態において、反対に手前側（内面側）から見て右側を「表側」とし、左側を「裏側」としてもよい。
【符号の説明】
【００６３】
１，１Ａ…鍵付きファイル、２…ファイル本体部、２１…表表紙、２２…裏表紙、２３…背表紙、２４…手前側表紙、２５…上側開口部、２６…下側開口部、３…とじ具、４…天板、５…地板、６…鍵装置、６１…係合部、６２…被係合部、７…弾性部材
【図１】
0003201166.tif 000003
【図２】
0003201166.tif 000004
【図３】
0003201166.tif 000005
【図４】
0003201166.tif 000006
【図５】
0003201166.tif 000007
【図６】
0003201166.tif 000008
【図７】
0003201166.tif 000009
【図８】
0003201166.tif 000010
【手続補正書】
【提出日】平成27年9月17日(2015.9.17)
【手続補正１】
【補正対象書類名】実用新案登録請求の範囲
【補正対象項目名】全文
【補正方法】変更
【補正の内容】
【実用新案登録請求の範囲】
【請求項１】
左右一対の表表紙及び裏表紙と、手前側が左右方向に開閉するように前記表表紙と前記裏表紙とを繋ぐ背表紙と、前記表表紙又は前記裏表紙の何れか一方における手前側縁部に接続する手前側表紙とを有し、閉状態の際に前記表表紙と前記裏表紙とが対向すると共に前記背表紙と前記手前側表紙とが対向することで上下方向に開放した角筒状をなすファイル本体部と、
書類等のとじ込み対象物がとじられ、前記背表紙の内面、又は前記裏表紙の内面に取り付けられるとじ具と、
互いに上下方向で間隔を保ちつつ平行に並ぶように各々が前記表表紙の内面又は前記裏表紙の内面に立設される板状をなし、閉状態の前記ファイル本体部の上下に形成される上側開口部及び下側開口部を閉塞し、開状態の前記ファイル本体部において前記とじ込み対象物が通過可能な大きさで左右方向に開放した形をなす一対の天板及び地板と、
前記表表紙又は前記裏表紙の何れかのうち、前記手前側縁部が接続されていない残りの一方に固定される係合部と、前記手前側表紙に固定され前記係合部に対して鍵機構により着脱可能に係合する被係合部とを有する鍵装置と、を備える鍵付きファイル。
【請求項２】
前記天板及び前記地板は、閉状態の前記ファイル本体部において、前記上側開口部の上縁部、及び前記下側開口部の下縁部よりも内側に奥まった位置に配され、かつ左右方向で前記表表紙と前記裏表紙との間に介在されると共に、前記天板及び前記地板の各先端部が、前記裏表紙の内面又は前記表表紙の内面に当接する請求項１に記載の鍵付きファイル。
【請求項３】
前記天板及び前記地板の各先端部に、前記裏表紙の内面又は前記表表紙の内面に当接する弾性変形可能な弾性部材が取り付けられている請求項１又は２に記載の鍵付きファイル。
【請求項４】
前記天板及び前記地板の各先端部と対向する前記裏表紙又は前記表表紙に、閉状態の前記ファイル本体部において、前記各先端部が挿し込まれて前記天板及び前記地板が、前記裏表紙又は前記表表紙に固定される挿着部が設けられている請求項１又は２に記載の鍵付きファイル。
【請求項５】
前記ファイル本体部は、閉状態において、前記手前側表紙の自由端と、前記表表紙又は前記裏表紙の何れかのうち、前記手前側表紙が接続されていない残りの一方における自由端とが互いに突き合わされた状態となっている請求項１〜４の何れか一項に記載の鍵付きファイル。
【請求項６】
前記表表紙と前記背表紙との間、前記裏表紙と前記背表紙との間、及び前記表表紙又は前記裏表紙の何れか一方と前記手前側表紙との間には、それぞれヒンジ部が設けられている請求項１〜５の何れか一項に記載の鍵付きファイル。
【手続補正２】
【補正対象書類名】明細書
【補正対象項目名】００１１
【補正方法】変更
【補正の内容】
【００１１】
本考案に係る鍵付きファイルは、左右一対の表表紙及び裏表紙と、手前側が左右方向に開閉するように前記表表紙と前記裏表紙とを繋ぐ背表紙と、前記表表紙又は前記裏表紙の何れか一方における手前側縁部に接続する手前側表紙とを有し、閉状態の際に前記表表紙と前記裏表紙とが対向すると共に前記背表紙と前記手前側表紙とが対向することで上下方向に開放した角筒状をなすファイル本体部と、書類等のとじ込み対象物がとじられ、前記背表紙の内面、又は前記裏表紙の内面に取り付けられるとじ具と、互いに上下方向で間隔を保ちつつ平行に並ぶように各々が前記表表紙の内面又は前記裏表紙の内面に立設される板状をなし、閉状態の前記ファイル本体部の上下に形成される上側開口部及び下側開口部を閉塞し、開状態の前記ファイル本体部において前記とじ込み対象物が通過可能な大きさで左右方向に開放する一対の天板及び地板と、前記表表紙又は前記裏表紙の何れかのうち、前記手前側縁部が接続されていない残りの一方に固定される係合部と、前記手前側表紙に固定され前記係合部に対して鍵機構により着脱可能に係合する被係合部とを有する鍵装置と、を備える。
【手続補正３】
【補正対象書類名】明細書
【補正対象項目名】００１５
【補正方法】変更
【補正の内容】
【００１５】
前記鍵付きファイルにおいて、前記ファイル本体部は、閉状態において、前記手前側表紙の自由端と、前記表表紙又は前記裏表紙の何れかのうち、前記手前側表紙が接続されていない残りの一方における自由端とが互いに突き合わされた状態となっていることが好ましい。